(57)【要約】【課題】遊技球の転落先の予測がつきにくいパチンコ機に用いられる振分装置の提供。【解決手段】揺動する揺動基体１１１と、遊技球を揺動基体１１１内部に受け入れる受入口１１２と、遊技球を一筋で案内する球通路１１３と、遊技球を揺動基体１１１内部から排出する排出口１１４と、前記揺動基体１１１が第１揺動状態にある場合に排出される遊技球を案内する第１案内路１３１と、前記揺動基体１１１が第２揺動状態にある場合に排出される遊技球を案内する第２案内路１３２と、駆動源１１５とを備え、前記球通路１１３は、前記揺動基体１１１がいずれの揺動状態にあっても右下がりか左下がりかのいずれか一方方向に傾斜する第１傾斜面１２１と、前記揺動基体の揺動状態によって右下がりと左下がりとに傾斜方向が変更される第２傾斜面１２２とを備える。【選択図】図４
2008289652.tif 000002
【特許請求の範囲】
【請求項１】
パチンコ機に用いられ、遊技球を異なる転落経路に振り分ける振分装置であって、
所定の角度範囲内で揺動する揺動基体と、
遊技球を揺動基体内部に受け入れる受入口と、
前記揺動基体に設けられ、受け入れた遊技球を一筋で案内する球通路と、
前記球通路により案内された遊技球を揺動基体内部から排出する排出口と、
前記揺動基体が第１揺動状態にある場合に排出される遊技球を案内する第１案内路と、
前記揺動基体が第２揺動状態にある場合に排出される遊技球を案内する第２案内路と、
前記揺動基体を揺動させる駆動源とを備え、
前記球通路は、
前記揺動基体の揺動軸と略平行な面であって、前記揺動基体がいずれの揺動状態にあっても右下がりか左下がりかのいずれか一方方向に傾斜する第１傾斜面と、
前記揺動基体の揺動軸と略平行な面であって、前記揺動基体の揺動状態によって右下がりと左下がりとに傾斜方向が変更される第２傾斜面と
を備える振分装置。
【請求項２】
複数の前記第２傾斜面を階段状に備える請求項１に記載の振分装置。
【発明の詳細な説明】
【技術分野】
【０００１】
本発明は、パチンコ機に備えられ遊技球を異なる転落経路に振り分ける振分装置に関する。
【背景技術】
【０００２】
従来、パチンコ機は、遊技領域の上部に打ち上げられ下方に向かって転落する遊技球の転落経路を乱雑に変更する釘や風車などが設けられ、予測不可能に転落する遊技球は、パチンコ機の興趣性を向上させる一要因となっている。
【０００３】
また、パチンコ機は、転落してくる遊技球を所定の確率で左右に振り分ける振分装置を備えることがある。この振分装置は、遊技者にとって有利な方向に遊技球が転落するか否かの二者択一的要素を取り入れることにより、遊技者に遊技球の行方を注目させるようなパチンコ機の独自色を形成するための演出として用いられる。
【０００４】
例えば特許文献１には、前記遊技球の振分装置に関する発明が記載されている。
特許文献１に記載の振分装置は、傾動方向及び上下の位置を任意に変更しうるシーソー部材を備え、当該シーソー部材の上面に到達した遊技球をシーソー部材の傾動位置や上下位置を変更することにより、遊技球を所定の領域に導くものである。
【特許文献１】特開２００２−１１３１８３号公報
【発明の開示】
【発明が解決しようとする課題】
【０００５】
ところが、前記シーソー部材で遊技球を振り分けた場合、シーソー部材が遊技球を受け入れたタイミングとシーソー部材の傾動状態とにより、遊技球の振分先が容易に予測される。このように、シーソー部材に遊技球が乗った時点で遊技球の行く先が予測可能であると、振分装置が遊技球を受け入れた時点で遊技者の興味は消失し、パチンコ機の演出としての興趣性を発揮することができなくなる。
【０００６】
本発明は、かかる問題に鑑みなされたものであって、遊技球の振分先の予測を困難とする振分装置の提供を目的とする。
【課題を解決するための手段】
【０００７】
上記目的を達成するために、本願発明にかかる振分装置は、パチンコ機に用いられ、遊技球を異なる転落経路に振り分ける振分装置であって、所定の角度範囲内で揺動する揺動基体と、遊技球を揺動基体内部に受け入れる受入口と、前記揺動基体に設けられ、受け入れた遊技球を一筋で案内する球通路と、前記球通路により案内された遊技球を揺動基体内部から排出する排出口と、前記揺動基体が第１揺動状態にある場合に排出される遊技球を案内する第１案内路と、前記揺動基体が第２揺動状態にある場合に排出される遊技球を案内する第２案内路と、前記揺動基体を揺動させる駆動源とを備え、前記球通路は、前記揺動基体の揺動軸と略平行な面であって、前記揺動基体がいずれの揺動状態にあっても遊技球に加速方向に加速度を付与する第１傾斜面と、前記揺動基体の揺動軸と略平行な面であって、前記揺動基体の揺動状態によって遊技球に付与しうる加速度の方向が加速方向と減速方向とに変更される第２傾斜面とを備えることを特徴とする。
【０００８】
これにより、揺動基体の揺動状態により、第１傾斜面により遊技球に付与される加速方向の加速度の大きさ違いと、第２傾斜面により遊技球に付与される加速度の加速方向と減速方向との違いとを組み合わせることができ、排出口から遊技球が排出されるタイミングを予測困難にすることができる。従って、排出口の位置の相違により異なる遊技球の転落経路を予測することが困難となる。
【０００９】
しかも、前記加速度の組合せを一つの駆動源により実現しているため、振分装置を簡単な構造とすることができ、振分装置全体をコンパクトにすることができる。
【００１０】
また、複数の前記第２傾斜面を階段状に備えることが好ましい。
これにより遊技球が逆流するのを防止することが可能となる。
【発明の効果】
【００１１】
本発明によれば、簡単な構造でありながら遊技球の振分先を予測困難にすることができる。
【発明を実施するための最良の形態】
【００１２】
以下、本発明の実施の形態にかかる振分装置を備えるパチンコ機について図面を参照しつつ説明する。
【００１３】
図１は、本発明の実施の形態にかかるパチンコ機の斜視図である。
同図（ａ）に示すように、パチンコ機１０は、外枠１１、前枠１２、窓枠１３、および窓枠１３に覆われた遊技盤などを備えている。
【００１４】
また、同図（ｂ）に示すように、パチンコ機１０は、その背面に、液晶ディスプレイなどの表示制御を行なう表示サブ基盤２１、各種遊技音の出力制御を行なう音サブ基盤２２、パチンコ機１０の主要な制御を行う処理部、例えば遊技に関する主たる制御手段を備える主基盤２３、遊技球の払い出し動作を制御する払出基盤２４、各基盤等に電源を供給する電源基盤２５等を備えている。
【００１５】
同図（ｂ）に示すように、前記各種基盤は、不正防止のため、それぞれが透明ケースに収納された状態で取り付けられている。
【００１６】
外枠１１は、パチンコホールに設置されている台島の開口部にパチンコ機１０を取り付けるための部材であり、前後面が開口する薄い四角筒状に形成されている。外枠１１の大きさは、台島の開口部に合致する大きさで統一されており、正面視において外枠１１の範囲内にパチンコ機１０が納まるものとなっている。
【００１７】
前枠１２は、ヒンジにより外枠１１の前端面に開閉可能に軸着されている。従って、パチンコホールの台島に外枠１１が固定された状態において、前枠１２を開閉することができ、台島に取り付けられた状態でパチンコ機１０の背面を見ることができるようになっている。
【００１８】
前枠１２の前面下部には、上面が開口する下皿１４と、上面が開口する上皿１５とが固定されている。上皿１５は払い出された賞球（遊技球）が保持されるとともに、遊技球を遊技領域に打ち出すための打球鎚に遊技球を供給するための部位である。下皿１４は、上皿１５が賞球でいっぱいになった場合に溢れた賞球を保持しておく部位である。
【００１９】
下皿１４の右端周辺にはハンドル台１６が固定されており、ハンドル台１６には発射ハンドル１９が回動自在に装着されている。この発射ハンドル１９の後方には発射モータが固定されており、発射モータの回転軸には打球鎚が連結されている。この発射モータは打球鎚の駆動源に相当するものであり、発射ハンドル１９が回動操作されたときには発射モータに駆動電源が与えられ、打球鎚が駆動することに基づいて上皿１５から供給される遊技球を遊技領域に弾き出すものとなっている。
【００２０】
窓枠１３は、前枠１２の前面に開閉自在に軸着されている。窓枠１３は、円形孔状の窓部１７を有し、窓部１７には透明なガラス窓１７ａが固定されている。この窓枠１３の左上隅部および右上隅部の裏面には、遊技音を出力するスピーカ１８が固定されている。また、窓枠１３には複数の装飾ＬＥＤが固定されている。
【００２１】
次に、窓枠１３の奥にガラス窓１７ａを介して視認可能に取り付けられる遊技盤につい説明する。
【００２２】
図２は、遊技盤の正面図である。
遊技盤３０は、上述のように前枠１２の後面に装着されており、窓枠１３のガラス窓１７ａに前方から覆われている。
【００２３】
遊技盤３０は、遊技領域を形成する部材であり、基礎板３１、ガイドレール３２、障害釘３９、始動口３３、中央役物１００、アウト口５２、一般入賞口３５、図柄表示手段３７などを備えている。
【００２４】
基礎板３１は、遊技盤３０の各構成部材を固定するための板であり、中間部に中央役物１００や図柄表示手段３７を取り付けるための矩形の孔が設けられている。
【００２５】
図柄表示手段３７は、第２種遊技の演出としての図柄を表示する液晶画面を備える装置であり、中央役物１００の背面に配置され、基礎板３１に設けられた前記矩形の孔を通して図柄が見えるように基礎板３１に取り付けられている。
【００２６】
ガイドレール３２は、この基礎板３１の前面に起立状に取り付けられる金属製帯状の部材であり、遊技球が転落する領域である遊技領域３１ｂを画定している。
【００２７】
障害釘３９は、遊技領域３１ｂ内の基礎板３１に植設され、遊技領域３１ｂを転落する遊技球の進路を複雑に変化させる部材である。
【００２８】
始動口３３は、遊技球が入ることにより中央役物１００の役物羽根１０１を稼働させる契機となる部分であり、上面が開口するポケット状に形成される部材である。始動口３３は、遊技領域３１ｂ内における中央役物１００の下方に３箇所に取り付けられており、左右両側に「１」と付されている始動口３３に遊技球が入賞すると役物羽根１０１が１回開閉する。また、中央の「２」と付されている始動口３３に遊技球が入賞すると役物羽根１０１が２回開閉を繰り返すものとなっている。始動口３３の背部には、役物羽根１０１開閉の契機となる始動口スイッチ（図示せず）が内部に取り付けられている。始動口スイッチは、始動口３３内に遊技球が入賞したことを検出するセンサである。
【００２９】
一般入賞口３５は、遊技球が入賞すると所定数の賞球が払い出される部分であり、上面が開口するポケット状に形成されている。一般入賞口３５は、一般入賞口スイッチが内部に取り付けられており、遊技球が一般入賞口３５に入賞したことを一般入賞口スイッチが検知するものとなっている。
【００３０】
図３は、中央役物を示す斜視図である。
同図に示すように、中央役物１００は、役物羽根１０１と、第１振分装置１０２と、第２振分装置１１０と、第３振分装置１０３と、第４振分装置１０４と、第５振分装置１０５と、復活鎚１０６とを備えている。
【００３１】
役物羽根１０１は、中央役物１００に遊技球を導入するための可動部材であり、中央役物１００の上部に左右対称に一対設けられている。役物羽根１０１は、通常閉ざされた状態となっており、この状態では中央役物１００内に遊技球は入賞しない。遊技球が始動口３３に入賞した場合、役物羽根１０１は、短時間開状態となった後、閉状態に戻る。遊技球が「２」と付された始動口３３に入賞した場合は、役物羽根１０１の前記開閉動作が２回続けで実施される。また、中央役物１００に入賞した遊技球が中央役物１００内のＶゾーンに入った場合、役物羽根１０１は、中央役物１００に所定球数（例えば１０球）入賞するか、役物羽根１０１が所定回数（例えば１８回）開閉動作を実施するかのいずれかが早く達するまで開閉動作を繰り返す。この遊技球がＶゾーンに入った後の状態は大当たり遊技と言われている。
【００３２】
第１振分装置１０２は、開状態の役物羽根１０１により中央役物１００に入賞した遊技球が最初に振り分けられる部分である。本実施の形態の場合、役物羽根１０１を通過して入賞した遊技球は、球流路中央部に案内され、中央部に設けられた孔に落下する。前記孔の下方には垂れ下がった垂下片１０７が揺動自在に設けられており、当該垂下片１０７の揺動により遊技球は左右方向に延びる二つの球流路のいずれかに振り分けられる。
【００３３】
第２振分装置１１０は、本願発明にかかる振分装置であって、中央役物１００の左右側端に一対設けられている。これら一対の第２振分装置１１０は、第１振分装置１０２で振り分けられた遊技球を受け入れて、さらに二つの球流路のいずれかに振り分ける装置である。なお、第２振分装置１１０は、後ほど詳述する。
【００３４】
第３振分装置１０３は、第２振分装置１１０で振り分けられた遊技球の内、所定の球流路に案内された遊技球に対し遊技球の行く先を振り分ける装置である。第３振分装置１０３は、人間の下半身を短足にデフォルメし、大きな靴を履かせた人形状の部材を備え、当該下半身の部材が「トコトコ」と歩くように３次元的に稼働する。そして、下半身の部材が歩くように動くことによって下半身の部材の足下に設けられた孔を開閉できるものとなっている。従って、第３振分装置１０３に案内された遊技球は、下半身の部材が足を上げた状態で遊技球か第３振分装置１０３に到達すると、遊技球は孔に落ち込み、下半身の部材が足を降ろした状態で遊技球が第３振分装置１０３に到達すると、第３振分装置１０３の背部に案内される。第３振分装置１０３は、下半身の部材を水平に延びる軸を回転軸として垂直面内で揺動させると共に、傘歯車を組み合わせることにより、下半身の部材を前記水平に延びる回転軸に垂直に交わる軸を回転軸として前記垂直面に対し垂直に回転する。従って、一つのソレノイドやモータで両足を３次元的に稼働させることができ、左右に配置される第２振分装置１１０から左右別々に到達する遊技球をそれぞれ振り分けることが可能となっている。
【００３５】
第４振分装置１０４は、第２振分装置１１０で振り分けられた遊技球の内、第３振分装置１０３に案内されなかった遊技球、及び、第３振分装置１０３で孔に落ち込まなかった遊技球を、大当たりか外れかのいずれかに振り分ける装置である。第４振分装置１０４は、垂直から若干傾いた軸を回転軸とする回転体と、回転体に放射方向にＵ字状に切り欠かれた切欠と、遊技球を回転体に案内する案内路と復活路とを備えている。また、切欠は、回転体に等間隔に４つ設けられており、これらの内の「Ｖ」と付され、最も深く切り欠かれたＶゾーンに遊技球が保持されると、大当たりとなる孔に落ち込み、それ以外の切欠に保持されるとアウト球として処理される孔に落ち込む。第４振分装置１０４に到達した遊技球は、以上のようにして最終的な振り分けがなされる。
【００３６】
第５振分装置１０５は、第３振分装置１０３の足下にある孔に落ち込んだ遊技球の行く先を振り分ける装置であり、左右にそれぞれ設けられている。向かって右側にある第５振分装置１０５は、右に傾斜する傾斜路と、傾斜路を通過する遊技球を整流するための整流壁とを備え、整流壁の上端面は左に傾斜している。向かって左側にある第５振分装置１０５は前記と左右対称の形状となっている。第５振分装置１０５は、中央役物１００に対して突出している場合、ほぼ自由落下に近い状態で落下する遊技球を傾斜面で受け止めると共に、整流壁で遊技球の動きを規制し、復活鎚１０６の方向に遊技球を壁に沿って転がす。中央役物１００に対し整流壁を残した状態で没入している場合、第５振分装置１０５は、落下する遊技球を整流壁の上面で受け止め遊技球の運動方向ベクトルを左方向に変更させる。以上により、第５振分装置１０５は、ほぼ自由落下する遊技球を左右方向に振り分ける。第５振分装置１０５により左側に振り分けられた遊技球は、アウト球になる。右側に振り分けられたアウト球も壁に沿って進行し、原則的にはアウト球になる。なお左側に配置される第５振分装置１０５は、本説明と左右対称となる。
【００３７】
復活鎚１０６は、所定の間隔、または、ランダムに出没を繰り返し、復活鎚１０６の目前に存在する遊技球を打ち出すことのできる部材である。復活鎚１０６にはソレノイドが接続されている。そして、ソレノイドをあるタイミングで通電することで、プランジャを介し復活鎚１０６が短時間で出没する。復活鎚１０６は、第５振分装置１０５により、壁沿いに進行してきた遊技球をある確率で第４振分装置１０４に打ち出すことができるものとなっている。
【００３８】
図４は、第２振分装置１１０（右側）を示す斜視図であり、（ａ）は左方向に回転した揺動位置を示し、（ｂ）は右方向に回転した揺動位置を示す。
【００３９】
同図に示すように、本願発明にかかる振分装置である第２振分装置１１０は、揺動基体１１１と、受入口１１２と、球通路１１３と、排出口１１４と、第１案内路１３１と、第２案内路１３２とを備えている。なお、中央役物１００には第２振分装置１１０が二つ備えられているが、以下の説明は、二つの第２振分装置１１０のうち右側に取り付けられる第２振分装置１１０について説明する。左側に取り付けられる第２振分装置１１０については、形状と動作とが左右対称になるだけで作用や効果は同様であるのでその説明を省略する。
【００４０】
揺動基体１１１は、遊技球を内部に収容しうる厚みを有する円板形状の部材であり、両端面の中心を結ぶ線を揺動軸として揺動可能に中央役物１００に取り付けられている。
【００４１】
受入口１１２は、第１振分装置１０２で振り分けられ案内されてきた遊技球を揺動基体１１１内部に受け入れる部分であり、揺動基体１１１の左方上部の周壁に設けられる開口部である。受入口１１２は、揺動基体１１１がいずれの揺動位置でも遊技球を受け入れることのできる広さを備えている。
【００４２】
球通路１１３は、受入口１１２で受け入れられた遊技球を分岐することなく一筋で揺動基体１１１内部を案内する通路であり、揺動基体１１１の内部に「逆Ｓ」の字状に設けられ、揺動基体１１１の手前側端面方向に開口する断面矩形の溝である。球通路１１３が揺動基体１１１の手前側端面方向に開口しているのは、遊技者に遊技球の案内状態を視認させるためである。また、球通路１１３から遊技球がこぼれ落ちないように揺動基体１１１の手前側端面には透明のカバー部材（図示せず）が配置されている。
【００４３】
球通路１１３は、第１傾斜面１２１と第２傾斜面１２２とを備えている。
第１傾斜面１２１は、受入口１１２で受け入れられた遊技球が載置される面であり、遊技球が受入口１１２から右方向に向かって転がり落ちるように傾斜している面である。第１傾斜面１２１は、揺動基体１１１の揺動軸と略平行な面であって、揺動基体１１１がいずれの揺動位置にあっても同一の方向に傾斜する面となっている。つまり揺動基体１１１が最も左回転方向に揺動している場合でも、第１傾斜面１２１は右下方向に傾斜し、第１傾斜面１２１に載置される遊技球は、加速度を遊技球に加速方向に付与している。
【００４４】
なお、略平行とは、完全に平行、及び、ほとんど平行と思える範囲で傾いている場合も含む意味で記載している。また、ほとんど平行と思える範囲とは、揺動軸に対し±３０°の範囲で傾いている状態と考える。
【００４５】
第２傾斜面１２２は、第１傾斜面１２１により右方向に移動しつつ落下した遊技球が球通路１１３により左方向に移動するように方向転換された後に遊技球が載置される面である。第２傾斜面１２２は、揺動基体１１１の揺動軸と略平行な面であって、揺動基体１１１が所定の範囲の揺動位置にある場合は、右下がり方向に傾斜し、揺動基体１１１が前記の範囲以外の揺動位置にある場合は左下がり方向に傾斜するものとなっている。
【００４６】
また、揺動基体１１１には複数の第２傾斜面１２２が階段状に設けられている。第２傾斜面１２２が接続される段の高さは、揺動基体１１１が最も右回転方向に揺動しており、第２傾斜面１２２が右下方向に傾斜している場合でも、第２傾斜面１２２上に乗っている遊技球が段差を乗り越えない高さに設定されている。具体的に段の高さは、遊技球の直径の４分の１程度が好ましい。このように、複数の第２傾斜面１２２が階段状に接続されることで、第２傾斜面１２２が右下方向に傾斜している場合でも、遊技球が段差を乗り越えないため、遊技球に負の加速度が付与されていたとしても遊技球の逆流を防止することが可能となる。従って、複数の第２傾斜面１２２を階段状に設けることで、揺動基体１１１が定期的に揺動を繰り返すことにより遊技球が第２傾斜面に滞留してしまうことを防止し、揺動基体１１１の揺動によって確実に遊技球を前に進めることが可能となる。
【００４７】
排出口１１４は、球通路１１３を通過した遊技球が揺動基体１１１から排出される部分であり、揺動基体１１１の下部周壁に下方に向かって開口した部分である。排出口１１４は、遊技球が１個通過しうる大きさに設定されており、揺動基体１１１の傾動位置により遊技球が排出される位置が異なるものとなっている。従って、揺動基体１１１が最も右方向に回転している第１揺動状態にある場合、排出口１１４から排出される遊技球は、第１案内路１３１を通り、揺動基体１１１が最も左方向に回転している第２揺動状態にある場合、排出口１１４から排出される遊技球は、第２案内路１３２を通ることにより、第２振分装置１１０により遊技球の転落経路を振り分けることが可能となる。
【００４８】
なお、第１案内路１３１を通過する遊技球は、第４振分装置１０４に案内されＶゾーンに入るか否かが選択される。また、第２案内路１３２を通過する遊技球は、第３振分装置１０３に案内される。
【００４９】
図５は、第２振分装置１１０（右側）の背面図である。
同図に示すように、第２振分装置１１０はさらにソレノイド１１５と、プランジャ１１６とクランク１１７とを備えている。ソレノイド１１５は、揺動基体１１１を所定の角度範囲内で揺動させる駆動源である。なお、駆動源は、ソレノイド１１５の他、ステッピングモータや単なるモータなど任意の駆動源を採用することができる。
【００５０】
ソレノイド１１５は、電源をオン、オフすることにより出没を制御しうるプランジャ１１６が接続されている。また、プランジャ１１６は、揺動基体１１１と接続されるクランク１１７と回動可能に接続されている。
【００５１】
以上により、ソレノイド１１５の電源をオン、オフすることにより、揺動基体１１１を揺動させることが可能となっている。
【００５２】
図６は、第２振分装置１１０（右側）の動作状態を示す正面図であり、（ａ）は右に最大回動した図、（ｂ）は左に最大回動した図である。
【００５３】
同図（ａ）に示す状態、すなわち、ソレノイド１１５によりプランジャ１１６が没入し、揺動基体１１１が右に回転した第１揺動状態にある場合では、第１傾斜面１２１にある遊技球は大きな加速度で落下し、第２傾斜面１２２にある遊技球は減速方向に加速度が付与される。また、左側の通路に遊技球が排出口１１４から排出され、第１案内路１３１に振り分けられる。一方、同図（ｂ）に示す状態、すなわち、ソレノイド１１５によりプランジャ１１６が突出し、揺動基体１１１が左に回転した第２揺動状態にある場合では、第１傾斜面１２１にある遊技球は小さな加速度で落下し、第２傾斜面１２２にある遊技球は加速方向に加速度が付与される。また、右側の通路に遊技球が排出口１１４は１４から排出され、第２案内路１３２に振り分けられる。
【００５４】
以上のように第２振分装置１１０による遊技球の振分は、遊技球が排出口１１４から排出される際の揺動基体１１１の揺動位置により決まり、遊技球が排出口１１４から排出されるタイミングは球通路１１３を通過する遊技球に対する加速度の付与状態によって決定される。
【００５５】
しかし、ソレノイド１１５を所定の間隔でオン、オフし、揺動基体１１１を所定の間隔で揺動させることにより、前記加速度の付与状態は刻々と変化し、遊技球が排出口１１４から排出されるタイミングを予測することが容易ではなくなる。
【００５６】
従って、この第２振分装置１１０によれば、遊技球の振分先が予測し難くなり、第２振分装置１１０に遊技球が受け入れられた後の興趣性を向上させることが可能となる。
【００５７】
なお、本実施の形態では、揺動基体１１１の揺動位置により第２傾斜面１２２の傾斜状態は変更されるものとして説明したが、これに限定されるわけではなく、揺動基体１１１がいずれの揺動位置でも、遊技球に対し加速方向に加速度を付与するような傾斜でも構わない。また、第１傾斜面１２１が揺動基体１１１の揺動位置により傾斜状態が変更されるものでも良く、これらの組合せは任意にすることができる。
【産業上の利用可能性】
【００５８】
本願発明は、２種のパチンコ機などパチンコ機に利用できる。
【図面の簡単な説明】
【００５９】
【図１】本発明の実施の形態にかかるパチンコ機の斜視図。
【図２】遊技盤を示す正面図。
【図３】中央役物を示す斜視図。
【図４】第２振分装置（右側）を示す斜視図であり、（ａ）は左方向に回転した揺動位置を示し、（ｂ）は右方向に回転した揺動位置を示す。
【図５】第２振分装置（右側）の背面図。
【図６】第２振分装置（右側）の動作状態を示す正面図であり、（ａ）は右に最大傾いた図、（ｂ）は左に最大傾いた図。
【符号の説明】
【００６０】
１０…パチンコ機、１００…中央役物、１１０…第２振分装置、１１１…揺動基体、１１２…受入口、１１３…球通路、１１４…排出口、１１５…ソレノイド、１２１…第１傾斜面、１２２…第２傾斜面、１３１…第１案内路、１３２…第２案内路
【図１】
2008289652.tif 000003
【図２】
2008289652.tif 000004
【図３】
2008289652.tif 000005
【図４】
2008289652.tif 000006
【図５】
2008289652.tif 000007
【図６】
2008289652.tif 000008